(57)【要約】【課題】おむつかぶれ対策並びに、おむつ装着者が衣服を着用している場合においても容易に排泄の有無を確認できる排泄検知機能付おむつを提供する。【解決手段】水分を吸収して気体を放出する物質に、糞尿の水分を吸収させてガスを放出させ、皮膚を素早く乾燥させる。また、当該ガスを利用し、おむつに装備したエアバッグを膨らませることで、視覚、触覚的に排泄を検知させる。また、当該エアバッグに笛を装着することで、聴覚的にも排泄を検知させることが可能となる。【選択図】  図３
2005245695.tif 000002
【特許請求の範囲】
【請求項１】
水分を吸収して気体を放出する物質（気体放出剤）に糞尿の水分を吸収させてガスを放出させ、素早く皮膚を乾燥させておむつかぶれなどの皮膚炎を予防することを特徴とするおむつ。
【請求項２】
前記気体放出剤によって放出したガスでエアバッグを膨らませて保護者または介護者に排泄を検知させることを特徴とする排泄検知機能付おむつ並びに排泄検知具。
【請求項３】
装着者の身体から見て、尿の吸水素材、前記気体放出剤を含む気体放出素材、前記エアバッグの順に配置されていることを特徴とする請求項２記載の排泄検知機能付おむつ。
【請求項４】
前記気体放出剤から放出したガスの風力または当該ガスによって生じた内気圧と外気圧との気圧差を利用して、笛や風車などの風を利用する部品を稼動させることによって、排泄を検知させることを特徴とする排泄検知機能付おむつ並びに排泄検知具。
【請求項５】
装着者の身体から見て、前記吸水素材、前記気体放出素材の順で配置され、気体放出剤から放出されたガスを貯める放出ガス受け部と、ガスを通すエアチューブが連結し、当該エアチューブに前記エアバッグもしくは前記笛が連結していることを特徴とする請求項２又は請求項４記載の排泄検知機能付おむつ。
【発明の詳細な説明】
【技術分野】
【０００１】
本発明は、おむつかぶれ予防機能付おむつ並びに、糞尿の排泄検知機能付おむつ及び、排泄検知器具または部品に関するものである。
【背景技術】
【０００２】
従来の紙おむつは、吸水ポリマーなどの入った吸水素材によって尿を吸収し、おむつかぶれなどの皮膚炎を抑えるように工夫されていた。
【０００３】
また、従来の紙おむつは、Ｐ＆Ｇ社製の製品名パンパースに代表されるように、紙おむつに接着された排尿検知テープが変色したり、紙おむつの柄の色が抜けたり、変色したりすることで、排泄の検知ができるようになっている。本構造は、低コストで実現でき、紙おむつを見れば容易に排泄の確認ができることから、本発明者のように乳幼児を持つ親にとっては大変重宝する商品である。本願では、これを「識色検知式」と呼ぶことにする。
【０００４】
また、特許公開２０００−９３４５６号記載の紙おむつのように、尿の水分と反応して臭いを発し、排泄の検知ができるようになっている。本願では、これを「発臭検知式」と呼ぶことにする。
【０００５】
また、特許公開平１０−２２１２８４号や特許公開２００３−３１０６６１号のように、尿の水分を電気的に検知し、音や光などを発するようになっている。本願では、これを「電気検知式」と呼ぶことにする。
【特許文献１】特許公開２０００−９３４５６号
【特許文献２】特許公開平１０−２２１２８４号
【特許文献３】特許公開２００３−３１０６６１号
【発明の開示】
【発明が解決しようとする課題】
【０００６】
従来の紙おむつでは、前記吸水素材で尿を完全に吸い取るまでに数分の時間が掛かり、湿気が残ることで装着者に不快感を与える上に、おむつかぶれを予防しきれない、と言う問題があった。
【０００７】
前記「識色検知式」の場合、排泄の有無を確認するために、衣服を脱がして紙おむつを露出させ、色を確認する必要があった。排尿確認のために衣服を脱がせることは、保護者や介護者にとって大きな負担であり、外出先など人目につく場所では容易に確認することは難しい、と言う問題がある。
【０００８】
また、「識色検知式」では、女子が排尿した場合には、身体の臀部もしくは背面側が変色することが多いため、身体を横向きにしたり、臀部を持ち上げたりすることによって確認する必要があった。この動作は、装着者である乳幼児や被介護者が嫌がることが多い上に、被介護者が成人の場合は大変な重労働である、と言う問題があった。
【０００９】
前記「発臭検知式」の場合、保護者または介護者が乳幼児または被介護者から離れていても、臭いによって排泄の有無を確認できるため便利ではあるが、臭いは衣服に付着するため、同じ衣服を着用していると、前回の排泄によって発生した臭いとの区別がつかず、排泄の有無を正確に認識できない、と言う問題がある。
【００１０】
また、「発臭検知式」では、臭いを発生させる材料として顆粒状の芳香剤が考えられるが、前記特許公開２０００−９３４５６号のように、前記吸水素材よりも身体に近い箇所に芳香剤を設置すると、皮膚の弱い乳幼児ではかぶれなどの皮膚炎を招く恐れがある、と言う問題もあった。
【００１１】
前記「電気検知式」の場合、保護者または介護者が離れていても排泄の検知が容易であるが、電気回路などを使用し、仕掛けが複雑になるため、低コストが必要不可欠な紙おむつには適用するのが困難である、と言う問題がある。
【００１２】
また、「電気検知式」では、排泄を電気にて検知しているため、検知装置の漏電による感電の恐れがある、と言う問題もあった。
【課題を解決するための手段】
【００１３】
上記問題を解決するために、本願第１の発明からなるおむつかぶれ予防機能付おむつは、水分を吸収して炭酸ガスや窒素ガスなどの気体を放出する物質（気体放出剤）に糞尿の水分を吸収させてガスを放出させ、素早く皮膚を乾燥させることを特徴とする。
【００１４】
本願第２の発明からなる排泄検知機能付おむつ並びに排泄検知具は、前記気体放出剤によって放出したガスでエアバッグを膨らませて保護者または介護者に排泄を検知させることを特徴とする。
【００１５】
本願第３の発明からなる排泄検知機能付おむつ並びに排泄検知具は、前記気体放出剤から放出したガスの風力または当該ガスによって生じた内気圧と外気圧との気圧差を利用して、笛や風車などの風を利用する部品を稼動させることによって、排泄を検知させることを特徴とする。
【発明の効果】
【００１６】
本願第１の発明からなるおむつかぶれ予防機能付おむつでは、糞尿の水分と反応して前記気体放出剤からガスが放出することで、皮膚を素早く乾燥させることが可能となる。おむつかぶれなどの皮膚炎は、通気性の悪さによって雑菌が増殖することが根本原因とされているため、皮膚を素早く乾燥させる本願第１の発明で、おむつかぶれなどの皮膚炎を抑えることが可能となる。
【００１７】
本願第２の発明からなる排泄検知機能付おむつ並びに排泄検知具では、糞尿の水分と反応して前記気体放出剤から発生したガスをエアバッグに閉じ込めることによってエアバッグが膨らみ、おむつが通常装着時とは異なる形状に変化することで、視覚的に排泄の検知が可能となる。
【００１８】
また、本願第２の発明からなるおむつでは、エアバッグが膨らむことにより、手で軽く触れることでも排泄の検知が可能となるため、視覚障害を持つ保護者または介護者でも排泄の有無を容易に確認することができる。
【００１９】
本願第３の発明からなる排泄検知機能付おむつでは、前記ガスと外気圧との差から前記笛や前記風車などを稼動させることで、当該笛の場合は聴覚的に、当該風車の場合は視覚的、聴覚的に排泄の検知が可能となる。
【００２０】
前記第２及び第３の発明では、「識色検知式」とは異なり、衣服着用時においても排泄の検知が可能である。また、「識色検知式」のように、女子が排尿した場合でも、身体を横向きにしたり、臀部を持ち上げたりする必要がない。
【００２１】
前記第２及び第３の発明では、「発臭検知式」とは異なり、排泄検知に臭いを使う訳ではないため、同じ衣服を着用させていても、正確に排泄の検知が可能となる。また、本願では身体に触れる部分に吸水素材を配置し、当該吸水素材の外側に気体放出剤を配置するため、当該気体放出剤による皮膚炎などの影響も少ない。
【００２２】
前記第２及び第３の発明では、「電気検知式」とは異なり、電気回路などは一切使わないため、漏電による感電の心配は全くない上に、「識色検知式」並のコストで抑えられるため、低価格化も期待できる。
【発明を実施するための最良の形態】
【００２３】
本願の最良の形態を実施例として以下に示す。
【実施例１】
【００２４】
本願第１の発明の実施例を以下に示す。図１に本実施例のおむつかぶれ予防機能付紙おむつを装着した時の断面を例示した。
【００２５】
本紙おむつは、装着者の身体１から見て、吸水素材４、気体放出素材５が順次形成されている。
【００２６】
当該吸水素材４は、現在市販されている紙おむつに使用されるものと同様で、紙もしくは綿素材の中に吸水ポリマーなどの吸水物質を含んでいる。
【００２７】
当該気体放出素材５は、前記吸水素材４同様、紙もしくは綿素材の中に、水分を吸収することによって炭酸ガスや窒素ガス、酸素ガスなどの気体を放出する気体放出剤を含んでいる。当該気体放出剤は、装着時の異物感を抑えるために粒径の小さいものを使用するのが望ましく、前記吸水素材の吸水ポリマーと同程度の粒径であると良い。当該気体放出剤には、花王社製入浴剤の製品名バブに代表されるような炭酸ガス放出剤を使用しても良いし、水溶性物質で気体を封入したマイクロカプセルを使用しても良い。また、紙もしくは綿素材の中に気体放出剤を含ませるのではなく、当該気体放出剤単体で前記気体放出素材５としても良い。
【００２８】
本実施例では、当該気体放出素材５が身体１から見て前記吸水素材４の外側に形成されているが、これは、気体放出剤による皮膚炎を心配した上でのことで、当該気体放出剤が皮膚に接触しない、もしくは皮膚炎を起こしづらい物質であるならば、気体放出素材５と吸水素材４とを分離せずに、吸水素材４中に気体放出剤を混入させても良い。
【実施例２】
【００２９】
本願第２の発明の実施例を以下に示す。図２及び図４に本実施例の排泄検知機能付紙おむつ装着時の断面を、図３に本実施例のエアバッグが膨らんだ状態を、図５に本実施例の排泄検知具を例示した。
【００３０】
図２の紙おむつは、装着者の身体１から見て、吸水素材４、気体放出素材５、エアバッグ６が順次形成されている。この図では、おむつ３の二箇所に当該気体放出素材５及びエアバッグ６を設置した例を示す。当該吸水素材４、当該気体放出素材５は、実施例１のものと同様である。
【００３１】
当該エアバッグ６は気体放出剤から発生したガスをおむつの外部に放出しないように通気性の悪い物質で形成される。ポリエチレンやポリ塩化ビニルなどのゴミ袋やレジ袋などに使用される薄くて通気性の悪い素材が適している。また、低い気圧で膨らむ、薄くて軟らかいゴムでも良い。
【００３２】
図３は、図２の紙おむつ装着時に排泄した場合を示しており、着用時に排泄すると、エアバッグ６が膨らみ、排泄前とは外形形状が変化する。これにより、排泄の有無を確認することができる。
【００３３】
図４の紙おむつは、前記エアバッグ６の部分に放出ガス受け部７を設け、当該放出ガス受け部７にエアチューブ８を繋げ、当該エアチューブ８とエアバッグ６が連結している。図４では、おむつ３の一箇所に気体放出素材５と当該放出ガス受け部７を設けた例を示している。
【００３４】
当該放出ガス受け部７は、前記エアバッグ６と同様の素材でも構わない。また、通気性の悪い素材であれば、装着者が違和感を覚えない程度の硬さの素材を使用しても良い。
【００３５】
当該エアチューブ８は、前記放出ガス受け部７から離れた箇所に前記エアバッグ６を設置する際に使用する。当該エアチューブ８の材質は、通気性が悪い素材が好ましく、前記エアバッグ６と同様の素材でも構わないし、ストローに用いられるプラスチックや、ゴムなどの弾力のあるものでも良い。ちなみに、当該エアチューブ８を用いずに、前記エアバッグ６を当該エアチューブ８の代用としても良い。
【００３６】
図５の排泄検知具は、前記気体放出素材５を前記放出ガス受け部７内に入れ、透水シート９を吸水口としている。当該放出ガス受け部７は前記エアバッグ６と同一でも構わないし、当該放出ガス受け部７に前記エアチューブ８を連結し、当該エアチューブ８とエアバッグ６を連結しても良い。図５では、後者の放出ガス受け部７とエアチューブ８、エアバッグ６の構成を示す。
【００３７】
紙おむつは通常、糞尿の水分を外部に出さないために、防水シートを使用している。そこで、当該防水シートの股間部を一部取り除き、吸水素材を露出させる。ここで、当該吸水素材を露出させるのではなく、防水シート除去部１０を透水シートでカバーしても良い。
【００３８】
当該防水シート除去部１０と当該排泄検知具の吸水口を合わせることで使用され、糞尿の水分が当該排泄検知具に伝わり、最終的にエアバッグ６が膨らむ。
【００３９】
ちなみに、前記放出ガス受け部７もしくは前記エアチューブ８に笛などを取り付ければ、第３の発明の排泄検知具となる。
【実施例３】
【００４０】
本願第３の発明の実施例を以下に示す。図６に本実施例の排泄検知機能付紙おむつ装着時の断面を、図７に本実施例の排泄検知具使用時の断面を例示した。
【００４１】
図６の紙おむつは、装着者の身体１から見て、前記吸水素材４、前記気体放出素材５、前記放出ガス受け部７が順次形成されており、当該放出ガス受け部７から紙おむつ装着者の臀部もしくは腰近傍にまで前記エアチューブ８が繋がり笛１１と連結されている。当該エアチューブ８の代わりに前記エアバッグを使用しても良い。当該放出ガス受け部７もまた、前記エアバッグで代用できる。
【００４２】
当該笛１１は、仰向け状態で寝ている際に異物感を感じさせない程度に薄く小さいものを使用する。当該笛１１には、紙やプラスチックなどの安価で作れるものが望ましいが、金属製でも異物感を感じさせない程度に薄く小さい笛であるならば問題ない。
【００４３】
本実施例で、発明者が臀部もしくは腰近傍に笛１１を設置したのは、仰向けに寝ている状態では臀部のエアチューブ８が塞がり、ガスが送り込まれないために当該笛１１は鳴ることがなく、気持ち良く寝ている乳幼児または被介護者を笛の音で不快に目覚めさせないための配慮による。本実施例は、乳幼児がハイハイや捕まり立ちなどをしている覚醒状態で当該笛を利用することを目的としているが、睡眠状態でも目覚めさせない程度に小さい音を発する笛であれば、他の箇所に当該笛を設置しても構わない。
【００４４】
ちなみにクドイようだが、この例でも、前記放出ガス受け部７を前記エアバッグで代用することは可能で、その場合、仰向けに寝ている時には前記笛１１は鳴らずに当該エアバッグの膨らみによって排泄の検知が、覚醒時には前記笛１１が鳴って排泄の検知ができる。
【００４５】
風車など風力や気圧差を利用して稼動する部品を当該笛１１の代わりに設置しても良い。その場合は、使用する部品によって、五感のどの刺激によって排泄検知を可能とするかが決まる。
【００４６】
図７の排泄検知具は、前記気体放出素材５を前記放出ガス受け部７内に入れ、当該気体放出素材５と水分伝播素材１２が接着している。当該水分伝播素材１２は、紙おむつの前記吸水素材４と身体１の間に挿入される。
【００４７】
当該水分伝播素材１２には綿や紙などの材質を用いても良い。この場合、当該水分伝播素材１２の毛細管現象で尿の水分は前記気体放出素材５にまで到達し、ガスを放出する。
【００４８】
当該放出ガス受け部７に前記エアバッグを使用しても良いし、当該放出ガス受け部７に前記笛１１を直接結合させても良いし、前記エアチューブを介在して前記エアバッグ又は前記笛を連結させても良い。
【００４９】
前記エアバッグを使用する場合は、本願第２の発明と同様の効果をもたらし、前記笛を使用する場合は、本願第３の発明と同様の効果をもたらす。
【００５０】
本願第１から第３の発明を個別ではなく、同時に複数機能させる機構も図６の説明などから容易に想像できると思われるが、その場合も本願の請求の範囲内であると本発明者は認識している。
【図面の簡単な説明】
【００５１】
【図１】おむつかぶれ予防機能付おむつ装着時の断面図（実施例１）
【図２】第２の発明の排泄検知機能付おむつ装着時の断面図（実施例２）
【図３】第２の発明の排泄時のおむつの状態（実施例２）
【図４】第２の発明の排泄検知機能付おむつ装着時の断面図（実施例３）
【図５】第２の発明の排泄検知具（実施例２）
【図６】第３の発明の排泄検知機能付おむつ（実施例３）
【図７】第３の発明の排泄検知具（実施例３）
【符号の説明】
【００５２】
１：装着者の身体
２：装着者の脚
３：おむつ
４：吸水素材
５：気体放出素材
６：エアバッグ
７：放出ガス受け部
８：エアチューブ
９：透水シート
１０：防水シート除去部
１１：笛
１２：水分伝播素材
【図１】
2005245695.tif 000003
【図２】
2005245695.tif 000004
【図３】
2005245695.tif 000005
【図４】
2005245695.tif 000006
【図５】
2005245695.tif 000007
【図６】
2005245695.tif 000008
【図７】
2005245695.tif 000009